(57)【要約】  本発明の実施例は、ハンドオーバ方法、装置、並びにコンピュータ記憶媒体を提供し、該方法がＬＴＥコアネットワークと５Ｇコアネットワークへのアクセスをサポートできる基地局に応用され、前記基地局がハンドオーバをトリガしない場合、前記方法は、ソースコアネットワークエレメントとの間のユーザ装置（ＵＥ）に対する第１のコンテキスト及び第１の接続構成を解放することと、ターゲットのコアネットワークエレメントによって送信されたハンドオーバ命令を受信した後、前記ターゲットのコアネットワークエレメントとの間の前記ＵＥに対する第２のコンテキスト及び第２の接続を確立することと、前記ＵＥとの新しい無線ベアラを構成することとを含む。
2021509548.tif 000002
【特許請求の範囲】
【請求項１】
ＬＴＥコアネットワーク及び５Ｇコアネットワークへのアクセスをサポートできる基地局に応用されるハンドオーバ方法であって、
前記基地局がハンドオーバをトリガしない場合、前記方法は、
ソースコアネットワークエレメントとの間のユーザ装置（ＵＥ）に対する第１のコンテキスト及び第１の接続構成を解放することと、
ターゲットのコアネットワークエレメントによって送信されたハンドオーバ命令を受信した後、前記ターゲットのコアネットワークエレメントとの間の前記ＵＥに対する第２のコンテキスト及び第２の接続を確立することと、
前記ＵＥとの新しい無線ベアラを構成することとを含む、前記ハンドオーバ方法。
【請求項２】
ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、
ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続であることを特徴とする
請求項１に記載のハンドオーバ方法。
【請求項３】
前記ＵＥとの新しい無線ベアラを構成することは、
前記ＵＥとの新しいシグナリング無線ベアラ（ＳＲＢ）とデータ無線ベアラ（ＤＲＢ）を構成することを含むことを特徴とする
請求項１に記載の方法。
【請求項４】
前記ＵＥとの新しいＳＲＢとＤＲＢを構成することは、新しいＰＤＣＰバージョン（ＰＤＣＰ  ｖｅｒｓｉｏｎ）、セキュリティキー（ｓｅｃｕｒｉｔｙ  ｋｅｙ）を構成することを含むことを特徴とする
請求項３に記載のハンドオーバ方法。
【請求項５】
前記方法は、
予め設定された第１の決定戦略に基づき、前記ＵＥとの無線リンク制御（ＲＬＣ）層を再確立する必要があるか否かを決定することと、
再確立する必要があると決定した場合、前記ＵＥとの間のＲＬＣ層を再構成することと、
そうでない場合、前記ＵＥとの間のＲＬＣ層を再構成しないこととをさらに含むことを特徴とする
請求項１に記載のハンドオーバ方法。
【請求項６】
前記予め設定された第１の決定戦略に基づき、前記ＵＥとの間のＲＬＣ層を再確立する必要があるか否かを決定することは、
前記新しい無線ベアラに必要なＲＬＣ層構成情報を取得することと、
前記新しい無線ベアラに必要なＲＬＣ層構成情報を古い無線ベアラに必要なＲＬＣ層構成情報と比較することと、
両方が一致する場合、前記ＵＥとの間のＲＬＣ層を再確立する必要がないことと、
そうでない場合、前記ＵＥとの間のＲＬＣ層を再確立する必要があることとを含むことを特徴とする
請求項５に記載のハンドオーバ方法。
【請求項７】
前記方法は、予め設定された第２の決定戦略に基づき、前記ＵＥとの間のＭＡＣ層を再起動する必要があるか否かを決定することと、
再起動する必要があると決定した場合、前記ＵＥとの間のＭＡＣ層を再構成することと、
そうでない場合、前記ＵＥとの間のＭＡＣ層を再構成しないこととをさらに含むことを特徴とする
請求項１に記載のハンドオーバ方法。
【請求項８】
前記予め設定された第１の決定戦略に基づき、前記ＵＥとの間のＭＡＣ層を再起動する必要があるか否かを決定することは、
前記新しい無線ベアラに必要なＭＡＣ層構成情報を取得することと、
前記新しい無線ベアラに必要なＭＡＣ層構成情報を古い無線ベアラに必要なＭＡＣ層構成情報とを比較することと、
両方が一致する場合、前記ＵＥとの間のＭＡＣ層を再起動する必要がないことと、
そうでない場合、前記ＵＥとの間のＭＡＣ層を再起動する必要があることとを含むことを特徴とする
請求項６に記載のハンドオーバ方法。
【請求項９】
ユーザ装置（ＵＥ）側に応用されるハンドオーバ方法であって、
サポートされるサービスに基づき、コアネットワークエレメントをハンドオーバする必要があると決定した場合、非アクセス層（ＮＡＳ）を介してソースコアネットワークエレメントにハンドオーバ指示を送信することと、
現在のサービング基地局との新しい無線ベアラを構成することとを含む、前記ハンドオーバ方法。
【請求項１０】
前記現在のサ―ビング基地局との新しい無線ベアラを構成することは、前記現在のサービング基地局との間のＳＲＢとＤＲＢを再構成することを含むことを特徴とする
請求項９に記載のハンドオーバ方法。
【請求項１１】
前記現在のサービング基地局との間のＳＲＢとＤＲＢを再構成することは、
新しいＰＤＣＰバージョン（ＰＤＣＰ  ｖｅｒｓｉｏｎ）、セキュリティキー（ｓｅｃｕｒｉｔｙ  ｋｅｙ）を構成することを含むことを特徴とする
請求項１０に記載のハンドオーバ方法。
【請求項１２】
前記サポートされたサービスに基づき、コアネットワークエレメントをハンドオーバする必要があると決定することは、
サポートされたサービスに必要なコアネットワークのタイプに基づき、前記必要なコアネットワークのタイプが、接続されている現在のコアネットワークのタイプと一致しない場合、コアネットワークエレメントをハンドオーバする必要があると決定すること、又は
取得された外部影響情報に基づき、コアネットワークエレメントをハンドオーバする必要があると決定することを含むことを特徴とする
請求項９に記載のハンドオーバ方法。
【請求項１３】
前記方法は、
現在のサービング基地局の第１の決定戦略に基づいて基地局との間のＲＬＣ層を再確立すること、及び／又は
現在のサービング基地局の第２の決定戦略に基づいて基地局との間のＭＡＣ層を再起動することをさらに含むことを特徴とする
請求項９に記載のハンドオーバ方法。
【請求項１４】
コアネットワーク側のエレメントに応用されるハンドオーバ方法であって、
ＵＥによって送信されたハンドオーバ指示を受信した後、又は設定された判定戦略に基づき、前記ＵＥのコアネットワークエレメントをハンドオーバする必要があると決定した後、ソースコアネットワークエレメントが前記ＵＥのサービング基地局との間の前記ＵＥに対する第１のコンテキスト及び第１の接続構成を解放することと、
ターゲットのコアネットワークエレメントが前記基地局にハンドオーバ命令を送信した後、前記基地局との間の前記ＵＥに対する第２のコンテキスト及び第２の接続を確立することとを含む、前記ハンドオーバ方法。
【請求項１５】
コアネットワーク側のエレメントは、ソースコアネットワークエレメントとターゲットのコアネットワークエレメントを備えることができ、それに対応して、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続であることを特徴とする
請求項１４に記載のハンドオーバ方法。
【請求項１６】
前記ハンドオーバ指示は前記ＵＥによって送信されたＮＡＳシグナリングに搬送され、ソースコアネットワークエレメントがコアネットワークエレメントのタイプをハンドオーバする必要があると指示することを特徴とする
請求項１４に記載のハンドオーバ方法。
【請求項１７】
前記設定された判定戦略に基づき、前記ＵＥのコアネットワークエレメントをハンドオーバする必要があると決定することは、
負荷（ｌｏａｄ）状態又はユーザの契約情報又は設定されたトリガ理由に基づき、前記ＵＥ端末のコアネットワークエレメントをハンドオーバする必要があることをトリガすることを含むことを特徴とする
請求項１４に記載のハンドオーバ方法。
【請求項１８】
ＬＴＥコアネットワークと５Ｇコアネットワークへのアクセスをサポートできる基地局であって、
第１の解放部、受信部、第１の確立部および第１の構成部を備え、
前記基地局がハンドオーバをトリガしない場合、
前記第１の解放部は、ソースコアネットワークエレメントとの間のユーザ装置（ＵＥ）に対する第１のコンテキスト及び第１の接続構成を解放するように構成され、
前記受信部は、ターゲットのコアネットワークエレメントによって送信されたハンドオーバ命令を受信するように構成され、
前記第１の確立部は、前記受信部がターゲットのコアネットワークエレメントによって送信されたハンドオーバ命令を受信した後、前記ターゲットのコアネットワークエレメントとの間の前記ＵＥに対する第２のコンテキスト及び第２の接続を確立するように構成され、
前記第１の構成部は、前記ＵＥとの新しい無線ベアラを構成するように構成される、前記基地局。
【請求項１９】
ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、
ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続であることを特徴とする
請求項１８に記載の基地局。
【請求項２０】
前記第１の構成部は具体的に、
前記ＵＥとの新しいシグナリング無線ベアラ（ＳＲＢ）とデータ無線ベアラ（ＤＲＢ）を構成するように構成されることを特徴とする
請求項１８に記載の基地局。
【請求項２１】
前記第１の構成部は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成されることを特徴とする
請求項２０に記載の基地局。
【請求項２２】
前記第１の構成部はさらに、
予め設定された第１の決定戦略に基づき、前記ＵＥとの無線リンク制御（ＲＬＣ）層を再確立する必要があるか否かを決定し、
再確立する必要があると決定した場合、前記ＵＥとの間のＲＬＣ層を再構成し、
そうでない場合、前記ＵＥとの間のＲＬＣ層を再構成しないように構成されることを特徴とする
請求項１８に記載の基地局。
【請求項２３】
前記第１の構成部は具体的に、
前記新しい無線ベアラに必要なＲＬＣ層構成情報を取得し、
前記新しい無線ベアラに必要なＲＬＣ層構成情報を古い無線ベアラに必要なＲＬＣ層構成情報と比較するように構成され、
両方が一致する場合、前記ＵＥとの間のＲＬＣ層を再確立する必要がなく、
そうでない場合、前記ＵＥとの間のＲＬＣ層を再確立する必要があることを特徴とする
請求項２２に記載の基地局。
【請求項２４】
前記第１の構成部はさらに、
予め設定された第２の決定戦略に基づき、前記ＵＥとの間のＭＡＣ層を再起動する必要があるか否かを決定し、
再起動する必要があると決定した場合、前記ＵＥとの間のＭＡＣ層を再構成し、
そうでない場合、前記ＵＥとの間のＭＡＣ層を再構成しないように構成されることを特徴とする
請求項１８に記載の基地局。
【請求項２５】
前記第１の構成部は具体的に、
前記新しい無線ベアラに必要なＭＡＣ層構成情報を取得し、
前記新しい無線ベアラに必要なＭＡＣ層構成情報を古い無線ベアラに必要なＭＡＣ層構成情報と比較するように構成され、
両方が一致する場合、前記ＵＥと間ののＭＡＣ層を再起動する必要がなく、
そうでない場合、前記ＵＥとの間のＭＡＣ層を再起動する必要があることを特徴とする
請求項２４に記載の基地局。
【請求項２６】
決定部、送信部および第２の構成部を備えるユーザ装置（ＵＥ）であって、
前記決定部は、サポートされるサービスに基づき、コアネットワークエレメントをハンドオーバする必要があるか否かを決定するように構成され、
送信部は、サポートされるサービスに基づき、コアネットワークエレメントをハンドオーバする必要があると前記決定部によって決定された場合、非アクセス層（ＮＡＳ）を介してソースコアネットワークエレメントにハンドオーバ指示を送信するように構成され、
前記第２の構成部は、現在のサービング基地局との新しい無線ベアラを構成するように構成される、前記ユーザ装置。
【請求項２７】
前記第２の構成部は具体的に、
前記現在のサービング基地局との間のＳＲＢとＤＲＢを再構成するように構成されることを特徴とする
請求項２６に記載のユーザ装置。
【請求項２８】
前記第２の構成部は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成されることを特徴とする
請求項２７に記載のユーザ装置。
【請求項２９】
前記決定部は具体的に、
サポートされるサービスに必要なコアネットワークタイプに基づき、前記必要なコアネットワークタイプが、接続されている現在のコアネットワークタイプと一致しない場合、コアネットワークエレメントをハンドオーバする必要があると決定するように構成され、
又は、取得された外部影響情報に基づき、コアネットワークエレメントをハンドオーバする必要があると決定するように構成されることを特徴とする
請求項２６に記載のユーザ装置。
【請求項３０】
前記ＵＥは、現在のサービング基地局の第１の決定戦略に基づいて基地局との間のＲＬＣ層を再確立するように構成され、及び／又は、現在のサービング基地局の第２の決定戦略に基づいて基地局との間のＭＡＣ層を再起動するように構成される再確立部をさらに備えることを特徴とする
請求項２６に記載のＵＥ。
【請求項３１】
第２の解放部と第２の確立部を備え、コアネットワーク側装置であって、
前記第２の解放部は、ＵＥによって送信されたハンドオーバ指示を受信した後、又は設定された判定戦略に基づき、前記ＵＥのコアネットワークエレメントをハンドオーバする必要があると決定した後、前記ＵＥのサービング基地局との間の前記ＵＥに対する第１のコンテキスト及び第１の接続構成を解放するようにソースコアネットワークエレメントに指示するように構成され、
前記第２の確立部は、前記基地局にハンドオーバ命令を送信するようにターゲットのコアネットワークエレメントに指示した後、前記基地局との間の前記ＵＥに対する第２のコンテキスト及び第２の接続を確立するように構成される、前記コアネットワーク側装置。
【請求項３２】
コアネットワーク側のエレメントは、ソースコアネットワークエレメントとターゲットのコアネットワークエレメントを備え、それに対応して、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、第２の接続は前記ＵＥに関連するＳ１インタフェースのコントロールプレーン及びユーザプレーンの接続であることを特徴とする
請求項３１に記載のコアネットワーク側装置。
【請求項３３】
前記ハンドオーバ指示は前記ＵＥによって送信されたＮＡＳシグナリングに搬送されて、ソースコアネットワークエレメントがコアネットワークエレメントのタイプをハンドオーバする必要があることを指示することを特徴とする
請求項３１に記載のコアネットワーク側装置。
【請求項３４】
前記第２の解放部は具体的に、
負荷（ｌｏａｄ）状態又はユーザの契約情報又は設定されたトリガ理由に基づき、必要とする前記ＵＥ端末のコアネットワークエレメントのハンドオーバをトリガするように構成されることを特徴とする
請求項３１に記載のコアネットワーク側装置。
【請求項３５】
ＬＴＥコアネットワークと５Ｇコアネットワークへのアクセスをサポートできる基地局であって、第１のネットワークインタフェース、第１のメモリと第１のプロセッサを備え、
前記第１のネットワークインタフェースは、他の外部ネットワークエレメントとの情報送受信プロセスに、信号を送受信するように構成され、
前記第１のメモリは、前記第１のプロセッサで実行可能なコンピュータプログラムを記憶するように構成され、
前記第１のプロセッサは、前記コンピュータプログラムを実行する時に、請求項１−８のいずれか一項に記載の方法のステップを実行するように構成される、前記基地局。
【請求項３６】
第２のネットワークインタフェース、第２のメモリおよび第２のプロセッサを備えるユーザ装置（ＵＥ）であって、
前記第２のネットワークインタフェースは、他の外部ネットワークエレメントとの情報の送受信プロセスに、信号を送受信するように構成され、
前記第２のメモリは、第２のプロセッサで実行可能なコンピュータプログラムを記憶するように構成され、
前記第２のプロセッサは、前記コンピュータプログラムを実行する時に、請求項９−１３のいずれか一項に記載の方法のステップを実行するように構成される、前記ユーザ装置。
【請求項３７】
第３のネットワークインタフェース、第３のメモリおよび第３のプロセッサを備えるコアネットワーク側装置であって、前記第３のネットワークインタフェースは、他の外部ネットワークエレメントとの情報の送受信プロセスに、信号を送受信するように構成され、
前記第３のメモリは、第３のプロセッサで実行可能なコンピュータプログラムを記憶するように構成され、
前記第３のプロセッサは、前記コンピュータプログラムを実行する時に、請求項１４−１７のいずれか一項に記載の方法のステップを実行するように構成される、前記コアネットワーク側装置。
【請求項３８】
コンピュータ記憶媒体であって、ハンドオーバプログラムを記憶し、前記ハンドオーバのプログラムが少なくとも１つのプロセッサによって実行される時に、請求項１−８のいずれか一項又は請求項９−１３のいずれか一項又は請求項１４−１７のいずれか一項に記載の方法のステップを実現する、前記コンピュータ記憶媒体。
【発明の詳細な説明】
【技術分野】
【０００１】
本発明の実施例は、無線通信技術分野に関し、特にハンドオーバ方法、装置、並びにコンピュータ記憶媒体に関する。
【背景技術】
【０００２】
通信技術の発展に伴い、第５世代の移動通信技術（５Ｇ：５ｔｈ  Ｇｅｎｅｒａｔｉｏｎ）の研究も進められている。５Ｇの無線アクセスはＮｅｗ  Ｒａｄｉｏと呼ばれ、ＮＲと略称される。現在の長期進化（ＬＴＥ：Ｌｏｎｇ  Ｔｅｒｍ  Ｅｖｏｌｕｔｉｏｎ）システムが５Ｇシステムへ継続的に進化するプロセスでは、ＬＴＥシステムの進化型基地局（ｅＮＢ：ｅｖｏｌｖｅｄ  Ｎｏｄｅ  Ｂ）は、特定の強化により５Ｇコアネットワークへのアクセスの機能を持つことができるため、次世代進化型基地局（ｎｇ−ｅＮＢ：ｎｅｘｔ  ｇｅｎｅｒａｔｉｏｎ  ｅＮＢ）と呼ばれてもよい。
【０００３】
ｎｇ−ｅＮＢの場合、そのプロトコルスタックは、下から上に物理層から無線リンク制御（ＲＬＣ：Ｒａｄｉｏ  Ｌｉｎｋ  Ｃｏｎｔｒｏｌ）層までいずれもＬＴＥ関連プロトコルが使用でき、ＰＤＣＰ層でＬＴＥに関連するＥ−ＵＴＲＡプロトコルだけでなく、５Ｇに関連するＮＲプロトコルも使用することができる。
【０００４】
ｎｇ−ｅＮＢがＬＴＥのコアネットワーク、即ち進化したパケットコア（ＥＰＣ：Ｅｖｏｌｖｅｄ  Ｐａｃｋｅｔ  Ｃｏｒｅ）との接続だけでなく、５Ｇコアネットワーク（５Ｇ：５Ｇ  Ｃｏｒｅ）との接続をサポートすることもできる。したがって、ユーザ装置（ＵＥ：Ｕｓｅｒ  Ｅｑｕｉｐｍｅｎｔ）がｎｇ−ｅＮＢにアクセスした後にハンドオーバする場合、コアネットワークのみに対してハンドオーバすることがある。上記状況で、どのようにコアネットワークのみに対するハンドオーバを実現するかは、解決する必要がある問題である。
【発明の概要】
【発明が解決しようとする課題】
【０００５】
上記技術的問題を解決するために、本発明の実施例は、ＵＥがｎｇ−ｅＮＢにアクセスした後にハンドオーバする時に、コアネットワークのみに対してハンドオーバすることができる、ハンドオーバ方法、装置、並びにコンピュータ記憶媒体を提供することが期待される。
【課題を解決するための手段】
【０００６】
本発明の実施例における技術的解決策は以下のように実現されてもよい。
【０００７】
第１の態様において、本発明の実施例は、ＬＴＥコアネットワーク及び５Ｇコアネットワークへのアクセスをサポートできる基地局に応用されるハンドオーバ方法を提供し、前記基地局がハンドオーバをトリガしない場合、前記方法は、
ソースコアネットワークエレメントとの間のユーザ装置（ＵＥ）に対する第１のコンテキスト及び第１の接続構成を解放することと、
ターゲットのコアネットワークエレメントによって送信されたハンドオーバ命令を受信した後、前記ターゲットのコアネットワークエレメントとの間の前記ＵＥに対する第２のコンテキスト及び第２の接続を確立することと、
前記ＵＥとの新しい無線ベアラを構成することとを含む。
【０００８】
第２の態様において、本発明の実施例は、ユーザ装置（ＵＥ）側に応用されるハンドオーバ方法を提供し、前記方法は、
サポートされるサービスに基づき、コアネットワークエレメントをハンドオーバする必要があると決定した場合、非アクセス層（ＮＡＳ）を介してソースコアネットワークエレメントにハンドオーバ指示を送信することと、
現在のサービング基地局との新しい無線ベアラを構成することとを含む。
【０００９】
第３の態様において、本発明の実施例は、コアネットワーク側のエレメントに応用されるハンドオーバ方法を提供し、前記方法は、
ＵＥによって送信されたハンドオーバ指示を受信した後、又は設定された判定戦略に基づき、前記ＵＥのコアネットワークエレメントをハンドオーバする必要があると決定した後、ソースコアネットワークエレメントが前記ＵＥのサービング基地局との間の前記ＵＥに対する第１のコンテキスト及び第１の接続構成を解放することと、
ターゲットのコアネットワークエレメントが前記基地局にハンドオーバ命令を送信した後、前記基地局との間の前記ＵＥに対する第２のコンテキスト及び第２の接続を確立することとを含む。
【００１０】
第４の態様において、本発明の実施例は、ＬＴＥコアネットワークと５Ｇコアネットワークへのアクセスをサポートできる基地局を提供し、第１の解放部、受信部、第１の確立部および第１の構成部を備え、
ここで、前記基地局がハンドオーバをトリガしない場合、
前記第１の解放部は、ソースコアネットワークエレメントとの間のユーザ装置（ＵＥ）に対する第１のコンテキスト及び第１の接続構成を解放するように構成され、
前記受信部は、ターゲットのコアネットワークエレメントによって送信されたハンドオーバ命令を受信するように構成され、
前記第１の確立部は、ターゲットのコアネットワークエレメントによって送信されたハンドオーバ命令を前記受信部が受信した後、前記ターゲットのコアネットワークエレメントとの間の前記ＵＥに対する第２のコンテキスト及び第２の接続を確立するように構成され、
前記第１の構成部は、前記ＵＥとの新しい無線ベアラを構成するように構成される。
【００１１】
第５の態様において、本発明の実施例は、決定部、送信部および第２の構成部を備えるユーザ装置（ＵＥ）を提供し、ここで、
前記決定部は、サポートされるサービスに基づき、コアネットワークエレメントをハンドオーバする必要があるか否かを決定するように構成され、
送信部は、サポートされるサービスに基づき、コアネットワークエレメントをハンドオーバする必要があると前記決定部によって決定された場合、非アクセス層（ＮＡＳ）を介してソースコアネットワークエレメントにハンドオーバ指示を送信するように構成され、
前記第２の構成部は、現在のサービング基地局との新しい無線ベアラを構成するように構成される。
【００１２】
第６の態様において、本発明の実施例は第２の解放部と第２の確立部を備えるコアネットワーク側装置を提供し、ここで、
前記第２の解放部は、ＵＥによって送信されたハンドオーバ指示を受信した後、又は設定された判定戦略に基づき、前記ＵＥのコアネットワークエレメントをハンドオーバする必要があると決定した後、前記ＵＥのサービング基地局との間の前記ＵＥに対する第１のコンテキスト及び第１の接続構成を解放するようにソースコアネットワークエレメントに指示するように構成され、
前記第２の確立部は、前記基地局にハンドオーバ命令を送信するようにターゲットのコアネットワークエレメントに指示した後、前記基地局との間の前記ＵＥに対する第２のコンテキスト及び第２の接続を確立するように構成される。
【００１３】
第７の態様において、本発明の実施例は、ＬＴＥコアネットワークと５Ｇコアネットワークへのアクセスをサポートできる基地局を提供し、前記基地局は、第１のネットワークインタフェース、第１のメモリおよび第１のプロセッサを備え、ここで、
前記第１のネットワークインタフェースは、他の外部ネットワークエレメントとの情報送受信プロセスに、信号を送受信するように構成され、
前記第１のメモリは、前記第１のプロセッサで実行可能なコンピュータプログラムを記憶するように構成され、
前記第１のプロセッサは、前記コンピュータプログラムを実行する時に、第１の態様に記載の方法のステップを実行するように構成される。
【００１４】
第８の態様において、本発明の実施例は、第２のネットワークインタフェース、第２のメモリと第２のプロセッサを備えるユーザ装置（ＵＥ）を提供し、
ここで、前記第２のネットワークインタフェースは、他の外部ネットワークエレメントとの情報の送受信プロセスに、信号を送受信するように構成され、
前記第２のメモリは、第２のプロセッサで実行可能なコンピュータプログラムを記憶するように構成され、
前記第２のプロセッサは、前記コンピュータプログラムを実行する時に、第２の態様に記載の方法のステップを実行するように構成される。
【００１５】
第９の態様において、本発明の実施例は、第３のネットワークインタフェース、第３のメモリおよび第３のプロセッサを備えるコアネットワーク側装置を提供し、ここで、前記第３のネットワークインタフェースは、他の外部ネットワークエレメントとの情報の送受信プロセスに、信号を送受信するように構成され、
前記第３のメモリは、第３のプロセッサで実行可能なコンピュータプログラムを記憶するように構成され、
前記第３のプロセッサは、前記コンピュータプログラムを実行する時に、第３の態様に記載の方法のステップを実行するように構成される。
【００１６】
第十の態様において、本発明の実施例はハンドオーバプログラムを記憶するコンピュータ記憶媒体を提供し、前記ハンドオーバのプログラムが少なくとも１つのプロセッサで実行される時に、第１の態様又は第２の態様又は第３の態様に記載の方法のステップを実現する。
【発明の効果】
【００１７】
本発明の実施例は、ハンドオーバ方法、装置、並びにコンピュータ記憶媒体を提供し、基地局がＬＴＥコアネットワークと５Ｇコアネットワークにアクセスできるため、該基地局がＥ−ＵＴＲＡＮプロトコルとＮＲプロトコルを同時にサポートすることができ、したがって、ハンドオーバする場合、基地局によってＵＥに提供されたサービングセルが変化しなく、前記基地局側に基づいてコアネットワークエレメントとの接続のみに対して解放及び再確立を行い、ＵＥとの物理層の無線リンクを切断及び再確立する必要がない。したがって、コアネットワークのみに対するハンドオーバを実現し、ハンドオーバ機能が最適化される。
【図面の簡単な説明】
【００１８】
【図１】本発明の実施例によって提供される例示的なシナリオアーキテクチャの概略図である。
【図２】本発明の実施例によって提供されるプロトコル層のアーキテクチャ図である。
【図３】本発明の実施例によって提供されるハンドオーバ方法の例示的なフローチャートである。
【図４】本発明の実施例によって提供される別のハンドオーバ方法の例示的なフローチャートである。
【図５】本発明の実施例によって提供される別のハンドオーバ方法の例示的なフローチャートである。
【図６】本発明の実施例によって提供されるハンドオーバ方法の具体的な例のフローチャートである。
【図７】本発明の実施例によって提供される例示的な基地局の構成図である。
【図８】本発明の実施例によって提供される例示的な基地局のハードウェア構造図である。
【図９】本発明の実施例によって提供される例示的なＵＥの構成図である。
【図１０】本発明の実施例によって提供される例示的なＵＥのハードウェア構造図である。
【図１１】本発明の実施例によって提供される例示的なコアネットワーク側装置の構成図である。
【図１２】本発明の実施例によって提供される例示的なコアネットワーク側装置のハードウェア構造図である。
【発明を実施するための形態】
【００１９】
本発明の実施例の特徴と技術内容をより詳しく理解することができるために、以下に図面と組み合わせて本発明の実施例の実現を詳しく説明し、添付の図面が参照説明のみに用いられ、本発明の実施例を限定することに用いられない。
【００２０】
ＬＴＥシステムのアーキテクチャ環境で、ハンドオーバのプロセスは、次の２つの状況があることに注意されたい。１つ目は、ＬＴＥ間のハンドオーバＩｎｔｒａ−ＬＴＥハンドオーバなど、アクセスタイプとコアネットワークタイプが変化しないハンドオーバであり、次に、アクセスタイプとコアネットワークタイプの両方が変化するハンドオーバであり、例えば、コアネットワークがＥＰＣから汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）コアネットワークにハンドオーバする場合、アクセスタイプも同時に変化する。
【００２１】
しかし、ＵＥがｎｇ−ｅＮＢにアクセスする場合、ｎｇ−ｅＮＢはＥＰＣだけでなく、５ＧＣもサポートすることができる。したがって、本発明の実施例の技術的解決策は、図１に示すシナリオのアーキテクチャに例示的に適用することができる。図１に示すように、ＵＥは、ｎｇ−ｅＮＢによってカバーされたセル（ｎｇ−ｅＮＢ  Ｃｅｌｌ）の範囲内にあり、ｎｇ−ｅＮＢは、ＥＰＣだけでなく、５ＧＣにも接続されてもよく、具体的には、ｎｇ−ｅＮＢは、５ＧＣにおけるアクセスとモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）に接続されてもよい。
【００２２】
プロトコル層に対して、図２に示すプロトコル層のアーキテクチャの概略図を参照すると、ｎｇ−ｅＮＢのプロトコルスタックは、物理ＰＨＹ層からメディアアクセス制御（ＭＡＣ：Ｍｅｄｉａ  Ａｃｃｅｓｓ  Ｃｏｎｔｒｏｌ）層、さらにＲＬＣ層までいずれもＬＴＥに関連するプロトコルを使用することができ、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層でＬＴＥ関連の進化したＵＭＴＳ地上無線アクセス（Ｅ−ＵＴＲＡ：Ｅｖｏｌｖｅｄ−ＵＭＴＳ  Ｔｅｒｒｅｓｔｒｉａｌ  Ｒａｄｉｏ  Ａｃｃｅｓｓ）プロトコル及び５Ｇに関連するＮＲプロトコルを使用することができる。
【００２３】
ＬＴＥシステムアーキテクチャ環境とは異なることとして、図１に示すアーキテクチャは、ハンドオーバプロセスにおいて、ＵＥによってアクセスされるｎｇ−ｅＮＢが変更しなく、つまり、アクセスタイプを変更しなくて、コアネットワークタイプのみを変更し、例えば、ＥＰＣから５ＧＣにハンドオーバし、又は５ＧＣからＥＰＣにハンドオーバする。したがって、本発明の技術的解決策は上記内容に基づいて以下の実施例を提供する。
【００２４】
実施例１
図３を参照すると、それが本発明の実施例によって提要されるハンドオーバ方法のプロセスを示し、該方法はＬＴＥコアネットワーク及び５Ｇコアネットワークにアクセスできる基地局に応用されてもよく、該基地局がハンドオーバをトリガしない場合、該方法のプロセスが以下を含むことができる。
【００２５】
Ｓ３０１において、ソースコアネットワークエレメントとの間のＵＥに対する第１のコンテキスト及び第１の接続構成を解放する。
【００２６】
Ｓ３０２において、ターゲットのコアネットワークエレメントによって送信されたハンドオーバ命令を受信した後、前記ターゲットのコアネットワークエレメントとの間のＵＥに対する第２のコンテキスト及び第２の接続を確立する。
【００２７】
具体的には、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続構成は前記ＵＥに関連するＮ２インタフェースとＮ３インタフェースの接続構成である。
【００２８】
ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続構成は前記ＵＥに関連するＳ１インタフェースのコントロールプレーン及びユーザプレーンの構成である。
【００２９】
Ｓ３０３において、前記ＵＥとの新しい無線ベアラを構成する。
【００３０】
図３に示すハンドオーバ方法の基地局側プロセスに対して、コアネットワークに対するハンドオーバは、ＵＥが必要に応じてサポートするサービスであり、又はコアネットワーク側が負荷又はユーザ契約情報に基づいてトリガすることであるため、ハンドオーバプロセスは測定レポートによってトリガされるものではないため、基地局はコアネットワークエレメントの前にハンドオーバを実行する必要があるというイベントを認識しないことに注意されたい。しかも、図３の技術的解決策に対して、各ステップの実行順序が具体的に限定されなく、例えば、ＵＥがマルチアクセスチャネルを同時にサポートする機能を有する場合、まずＳ３０２を実行し、次にＳ３０１を実行することができ、ＵＥが単一のアクセスチャネルをサポートする機能のみを有する場合、まずＳ３０１を実行し、次にＳ３０２を実行する必要がある。
【００３１】
図３に示す技術的解決策から分かるように、基地局がＬＴＥコアネットワークと５Ｇコアネットワークにアクセスできるため、該基地局はＥ−ＵＴＲＡＮプロトコルとＮＲプロトコルを同時にサポートすることができ、したがって、ハンドオーバする場合、基地局によってＵＥに提供されたサービングセルが変更されなく、前記基地局側に基づいてコアネットワークエレメントとの接続のみに対して解放及び再確立を行い、ＵＥとの物理層の無線リンクを切断及び再確立する必要がない。図３に示す技術的解決策により、ハンドオーバする場合、コアネットワークのみに対するハンドオーバが実現され、したがってハンドオーバ性能が最適化される。
【００３２】
図３に示す技術的解決策に対して、１つの可能な実施形態では、前記ＵＥの間の新しい無線ベアラを構成することは、
前記ＵＥとの新しいシグナリング無線ベアラ（ＳＲＢ：Ｓｉｇｎａｌｉｎｇ  Ｒａｄｉｏ  Ｂｅａｒｅｒｓ）とデータ無線ベアラ（ＤＲＢ：ａｔａ  Ｒａｄｉｏ  Ｂｅａｒｅｒ）を構成することを含む。
【００３３】
当然のことながら、ハンドオーバされた後のコアネットワークエレメントのタイプがハンドオーバーされる前のコアネットワークエレメントのタイプと異なるため、基地局は、前記ＵＥとの間のＰＤＣＰ層を再構成する必要があり、具体的にはＳＲＢとＤＲＢに対する構成であり、詳しくは、新しいＰＤＣＰバージョン（ＰＤＣＰ  ｖｅｒｓｉｏｎ）、セキュリティキー（ｓｅｃｕｒｉｔｙ  ｋｅｙ）などを構成することを含む。
【００３４】
図３に示す技術的解決策に対して、コアネットワークに対してハンドオーバした後、基地局はさらに前記ＵＥとの間の他のプロトコル層を再確立する必要があるか否かを決定する必要があり、したがって、１つの可能な実施形態では、図３に示す技術的解決策はさらに、
予め設定された第１の決定戦略に基づき、前記ＵＥとの間のＲＬＣ層を再確立（ｒｅｅｓｔａｂｌｉｓｈｍｅｎｔ）する必要があるか否かを決定することと、
再確立する必要があると決定した場合、前記ＵＥとの間のＲＬＣ層を再構成することと、
そうでない場合、前記ＵＥとの間のＲＬＣ層を再構成しないこととを含むことができる。
【００３５】
具体的には、予め設定された第１の決定戦略に基づき、前記ＵＥとの間のＲＬＣ層を再確立する必要があるか否かを決定することは、
前記新しい無線ベアラに必要なＲＬＣ層構成情報を取得することと、
前記新しい無線ベアラに必要なＲＬＣ層構成情報を古い無線ベアラに必要なＲＬＣ層構成情報と比較することと、
両方が一致する場合、前記ＵＥとの間のＲＬＣ層を再確立する必要がないことと、
そうでない場合、前記ＵＥとの間のＲＬＣ層を再確立する必要があることとを含むことができる。
【００３６】
また、基地局は、さらに前記ＵＥとの間のＭＡＣ層を再起動（ｒｅｓｅｔ）する必要があるか否かを決定する必要があり、したがって、１つの可能な実施形態において、図３に示す技術的解決策はさらに、
予め設定された第２の決定戦略に基づき、前記ＵＥとの間のＭＡＣ層を再起動する必要があるか否かを決定することと、
再起動する必要があると決定した場合、前記ＵＥとの間のＭＡＣ層を再構成することと、
そうでない場合、前記ＵＥとの間のＭＡＣ層を再構成しないこととを含むことができる。
【００３７】
具体的には、予め設定された第１の決定戦略に基づき、前記ＵＥとの間のＭＡＣ層を再起動する必要があるか否かを決定することは、
前記新しい無線ベアラに必要なＭＡＣ層構成情報を取得することと、
前記新しい無線ベアラに必要なＭＡＣ層構成情報を古い無線ベアラに必要なＭＡＣ層構成情報と比較することと、
両方が一致する場合、前記ＵＥとの間のＭＡＣ層を再起動する必要がないことと、
そうでない場合、前記ＵＥとの間のＭＡＣ層を再起動する必要があることとを含むことができる。
【００３８】
上記の２つの実施形態により分かるように、無線ベアラ以外に、基地局とＵＥは、ＲＬＣ層とＭＡＣ層は必要に応じて再確立されてもよく、且つ物理層を再確立する必要がなく、したがって、コアネットワークをハンドオーバする時のハンドオーバ性能をさらに最適化する。
【００３９】
実施例２
前述した実施例と同じ発明構想に基づき、図４を参照すれば、本発明の実施例によって提供されるユーザ装置（ＵＥ）側に応用されてもよいハンドオーバ方法のプロセスを示し、該プロセスが次のステップを含むことができる。
【００４０】
Ｓ４０１において、サポートされるサービスに基づき、コアネットワークエレメントをハンドオーバする必要があると決定した場合、非アクセス層（ＮＡＳ：Ｎｏｎ−ａｃｃｅｓｓ  ｓｔｒａｔｕｍ）を介してソースコアネットワークエレメントにハンドオーバ指示を送信する。
【００４１】
ハンドオーバ指示はＮＡＳシグナリングに搬送されて、ソースコアネットワークエレメントがコアネットワークエレメントのタイプをハンドオーバする必要があることを指示することができ、その後、現在のサービング基地局はソースコアネットワークエレメントとの間のＵＥのコンテキスト及び関連する接続構成を解放し、ターゲットのコアネットワークエレメントとの間のＵＥのコンテキスト及び関連する接続構成を確立することに注意されたい。具体的なプロセスについて実施例１におけるステップＳ３０１とＳ３０２を参照し、本発明の実施例では再び説明しなく、コアネットワークエレメントと現在のサービング基地局の間のハンドオーバが完了された後、ＵＥと現在のサービング基地局の間の無線ベアラを再確立する必要があり、したがって、図４に示す解決策はさらに次のステップを含むことができる。
【００４２】
Ｓ４０２において、現在のサービング基地局との新しい無線ベアラを構成する。
【００４３】
ハンドオーバされた後のコアネットワークエレメントのタイプとハンドオーバされる前のコアネットワークエレメントのタイプが異なるため、現在のサービング基地局との無線ベアラを再構成する必要があり、即ち現在のサービング基地局とのＰＤＣＰ層を再構成する必要があり、具体的には、ＳＲＢとＤＲＢに対する構成であることは理解可能である。詳細には、新しいＰＤＣＰバージョン（ＰＤＣＰ  ｖｅｒｓｉｏｎ）、セキュリティキー（ｓｅｃｕｒｉｔｙ  ｋｅｙ）などの情報を構成することを含むことができる。
【００４４】
ハンドオーバプロセスでは、ＵＥと現在のサービングセルが常に物理層の無線リンク接続を維持するため、ハンドオーバプロセス全体にランダムアクセスチャネル（ＲＡＣＨ：Ｒａｎｄｏｍ  Ａｃｃｅｓｓ  Ｃｈａｎｎｅｌ）プロセスを行う必要がなく、ＵＥは常にアップリンク同期を維持することができることに注意されたい。。
【００４５】
図４に示す技術的解決策に対して、１つの可能な実施形態では、サポートされるサービスに基づき、コアネットワークエレメントをハンドオーバする必要があると決定することは、
サポートされるサービスに必要なコアネットワークタイプに基づき、前記必要なコアネットワークタイプが、接続されている現在のコアネットワークタイプと一致しない場合、コアネットワークエレメントをハンドオーバする必要があると決定することを含むことができ、例えば、ＥＰＣと５ＧＣにおいてサポートするサービスが異なる可能性があり、例えば、ＥＰＣにおいてサポートするｅＭＢＭＳ、Ｖ２Ｘが５ＧＣにサポートされなく、したがって、ＵＥはサポートされる必要があるサービスに応じて適切なコアネットワーク（ＣＮ）エレメントを選択することができ、
又は、取得された外部影響情報に基づき、コアネットワークエレメントのハンドオーバを行う必要があると決定することを含むことができ、例えば、サポートされるサービスＡがＥＰＣだけでなく、５ＧＣにサポートされてもよい場合、ユーザがＵＥで設定した使用好み又は大量のユーザが該サービスＡが適応するコアネットワークタイプに対するユーザの好みの統計結果に応じて、サポートされるサービスのためにコアネットワークタイプを変更する必要があると決定することができる。
【００４６】
図４に示す技術的解決策において、コアネットワークに対してハンドオーバした後、現在のサービング基地局はさらに前記ＵＥとの間の他のプロトコル層が再確立される必要があるか否かを決定する必要があり、したがって、１つの可能な実施形態では、図４に示す技術的解決策はさらに、
現在のサービング基地局の第１の決定戦略に基づいて基地局との間のＲＬＣ層を再確立すること、
及び／又は、現在のサービング基地局の第２の決定戦略に基づいて基地局との間のＭＡＣ層を再起動することを含むことができる。
【００４７】
具体的には、第１の決定戦略は、現在のサービング基地局が新しい無線ベアラに必要なＲＬＣ層構成情報を古い無線ベアラに必要なＲＬＣ層構成情報と比較し、両方が一致する場合、ＲＬＣ層を再確立しなく、そうでない場合、ＲＬＣ層を再確立する必要があることであり、
第２の決定戦略は、現在のサービング基地局が新しい無線ベアラに必要なＭＡＣ層構成情報を古い無線ベアラに必要なＭＡＣ層構成情報と比較し、両方が一致する場合、ＭＡＣ層を再起動しなく、そうでない場合、ＭＡＣ層を再確立する必要があることである。
【００４８】
図４に示す技術的解決策に対して、ハンドオーバする時にコアネットワークのみに対してハンドオーバし、且つＵＥと現在のサービング基地局の間の物理層の無線リンクを再確立する必要がないため、ハンドオーバ性能が最適化される。
【００４９】
実施例３
前述した実施例と同じ発明構想に基づき、図５を参照すれば、本発明の実施例によって提供されるコアネットワーク側のエレメントに応用されてもよいハンドオーバ方法のプロセスを示し、該プロセスが次のステップを含むことができる。
【００５０】
Ｓ５０１において、ＵＥによって送信されたハンドオーバ指示を受信した後、又は設定された判定戦略に基づき、前記ＵＥのコアネットワークエレメントをハンドオーバする必要があると決定した後、ソースコアネットワークエレメントは前記ＵＥのサービング基地局との間の前記ＵＥに対する第１のコンテキスト及び第１の接続構成を解放する。
【００５１】
Ｓ５０２において、ターゲットのコアネットワークエレメントは前記基地局との間の前記ＵＥに対する第２のコンテキスト及び第２の接続を確立する。
【００５２】
本実施例では、コアネットワーク側のエレメントは、ソースコアネットワークエレメントとターゲットのコアネットワークエレメントを含むことができ、両方に対応するコアネットワークのタイプが異なる。具体的には、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続であることに注意されたい。。
【００５３】
ソースコアネットワークエレメントが前記ＵＥのサービング基地局との間の前記ＵＥに対する第１のコンテキスト及び第１の接続構成を解放すること、及びターゲットのコアネットワークエレメントが前記基地局にハンドオーバ命令を送信した後、前記基地局との間の前記ＵＥに対する第２のコンテキスト及び第２の接続を確立することの２つのステップの実行順序が具体的に限定されず、例えば、前記ＵＥがマルチアクセスチャネルを同時にサポートする機能を有する場合、ターゲットのコアネットワークエレメントは、先に前記基地局にハンドオーバ命令を送信した後、前記基地局との間の前記ＵＥに対する第２のコンテキスト及び第２の接続を確立することができ、その後、ソースコアネットワークエレメントは前記ＵＥのサービング基地局との間の前記ＵＥに対する第１のコンテキスト及び第１の接続構成を解放するが、ＵＥが単一のアクセスチャネルをサポートする機能のみを有する場合、ソースコアネットワークエレメントは先に前記ＵＥのサービング基地局との間の前記ＵＥに対する第１のコンテキスト及び第１の接続構成を解放する必要があり、その後、ターゲットのコアネットワークエレメントは前記基地局にハンドオーバ命令を送信した後、前記基地局との間の前記ＵＥに対する第２のコンテキスト及び第２の接続を確立する。
【００５４】
図５に示す技術的解決策に対して、１つの可能な実施形態において、前記ハンドオーバ指示は前記ＵＥによって送信されたＮＡＳシグナリングに搬送され、ソースコアネットワークエレメントがコアネットワークエレメントのタイプをハンドオーバする必要があることを指示する。
【００５５】
別の可能な実施形態では、設定された判定戦略に基づき、前記ＵＥのコアネットワークエレメントをハンドオーバする必要があると決定することは、
負荷（ｌｏａｄ）状態又はユーザの契約情報又は設定されたトリガ理由に基づき、前記ＵＥ端末のコアネットワークエレメントをハンドオーバする必要があることをトリガすること、例えばＥＰＣから５ＧＣへのハンドオーバ、又は５ＧＣからＥＰＣへのハンドオーバをトリガすることを含むことができる。
【００５６】
例えば、ソースコアネットワークエレメントの現在の負荷量が設定された負荷閾値より大きい場合、又は、ソースコアネットワークエレメントがユーザ契約情報に示されるコアネットワークエレメントのタイプと異なる場合、又は他の予め設定されたトリガ理由がトリガされた場合、前記ＵＥのコアネットワークエレメントをハンドオーバするようにトリガする必要がある。しかし、ＵＥに対してサービングセルを提供するためのサービング基地局は変化しないことに注意されたい。。
【００５７】
具体的には、本発明の実施例では、コアネットワークエレメントがＥＰＣである場合、具体的なネットワークエレメントエンティティはＥＰＣにおけるモビリティ管理エンティティ（ＭＭＥ：Ｍｏｂｉｌｉｔｙ  Ｍａｎａｇｅｍｅｎｔ  Ｅｎｔｉｔｙ）であってもよく、コアネットワークエレメントが５ＧＣである場合、具体的なネットワークエレメントエンティティは５ＧＣにおけるＡＭＦであってもよい。
【００５８】
実施例４
前述した実施例と同じ発明構想に基づき、本実施例は図１に示すアーキテクチャに組み合わせて具体的な例を通じて上記実施例の技術的解決策を具体的に説明するが、この具体的な例では、例示的に、ＥＰＣがソースコアネットワークエレメントであり、５ＧＣがターゲットのコアネットワークエレメントであり、ＵＥの現在のサービング基地局がｎｇ−ｅＮＢである。図６に示すハンドオーバ方法の具体的なプロセスを参照すれば、該プロセスが次のステップを含むことができる。
【００５９】
Ｓ６０１において、ＵＥはＮＡＳシグナリングによってＥＰＣにハンドオーバ指示を送信する。
【００６０】
Ｓ６０２において、ＥＰＣと５ＧＣはＵＥのコアネットワークエレメントに対してハンドオーバする必要があると決定する。
【００６１】
上記２つのステップのいずれかのステップにおいてもハンドオーバのトリガ条件が説明されることに注意されたい。本発明の実施例の技術的解決策において、ハンドオーバは基地局（ｎｇ−ｅＮＢ）によってトリガされないため、ｎｇ−ｅＮＢはコアネットワークエレメントの前に、ハンドオーバのイベントがトリガされたことを認識しないことを理解されたい。ハンドオーバがトリガされた後、このプロセスはさらに次のステップを含むことができる。
【００６２】
Ｓ６０３において、５ＧＣはｎｇ−ｅＮＢにハンドオーバ命令を送信する。
【００６３】
Ｓ６０４において、ｎｇ−ｅＮＢはハンドオーバ命令を受信した後、５ＧＣとの間の前記ＵＥに対するコンテキスト及び接続を確立する。
【００６４】
５ＧＣがターゲットのコアネットワークエレメントであるため、ｎｇ−ｅＮＢと５ＧＣの間に、該ＵＥに関連するコンテキスト、及び該ＵＥに関連するＮ２インタフェースとＮ３インタフェースの接続が確立されることに注意されたい。
【００６５】
Ｓ６０５において、ｎｇ−ｅＮＢはＥＰＣとの間の前記ＵＥに対するコンテキスト及び接続を解放する。
【００６６】
ＥＰＣがソースコアネットワークエレメントであるため、ｎｇ−ｅＮＢと５ＧＣの間に、該ＵＥに関連するコンテキスト、及び該ＵＥに関連するＳ１インタフェースのコントロールプレーン及びユーザプレーン配置を解放する必要があることに注意されたい。
【００６７】
理解可能に、Ｓ６０３とＳ６０４ではｎｇ−ｅＮＢがターゲットのコアネットワークエレメントとの接続を確立するプロセスが説明され、Ｓ６０５ではｎｇ−ｅＮＢがソースコアネットワークエレメントとの接続を解放するプロセスが説明される。上記の２つのプロセスは具体的に実行の優先順序に限定されない。例えば、前記ＵＥがマルチアクセスチャネルを同時にサポートする機能を有する場合、まずｎｇ−ｅＮＢがターゲットのコアネットワークエレメントとの接続を確立するプロセスを実行し、次にｎｇ−ｅＮＢがソースコアネットワークエレメントとの接続を解放するプロセスを実行することができるが、ＵＥが単一のアクセスチャネルをサポートする機能のみを有する場合、まずｎｇ−ｅＮＢがソースコアネットワークエレメントとの接続を解放するプロセスを実行し、次にｎｇ−ｅＮＢがターゲットのコアネットワークエレメントとの接続を確立するプロセスを実行する必要がある。本実施例では順序を具体的に限定しない。
【００６８】
Ｓ６０６において、ｎｇ−ｅＮＢはＵＥとの間のＲＬＣ層及び／又はＭＡＣ層を再確立する必要があるか否かを決定する。
【００６９】
ｎｇ−ｅＮＢは、前記ＵＥとの間のＰＤＣＰ層以外の他のプロトコル層、具体的にＲＬＣ層及び／又はＭＡＣ層を再確立又は再起動する必要があるか否かを決定する必要がある。
【００７０】
ＲＬＣ層に対して、ｎｇ−ｅＮＢは、予め設定された第１の決定戦略に基づき、前記ＵＥとの間のＲＬＣ層を再確立（ｒｅｅｓｔａｂｌｉｓｈｍｅｎｔ）する必要があるか否かを決定することができ、
再確立する必要があると決定した場合、前記ＵＥとの間のＲＬＣ層を再構成し、
そうでない場合、前記ＵＥとの間のＲＬＣ層を再構成しない。
【００７１】
具体的には、予め設定された第１の決定戦略に基づき、前記ＵＥとの間のＲＬＣ層を再確立する必要があるか否かを決定することは、
前記新しい無線ベアラに必要なＲＬＣ層構成情報を取得することと、
前記新しい無線ベアラに必要なＲＬＣ層構成情報を古い無線ベアラに必要なＲＬＣ層構成情報と比較することと、
両方が一致する場合、前記ＵＥとの間のＲＬＣ層を再確立する必要がないことと、
そうでない場合、前記ＵＥとの間のＲＬＣ層を再確立する必要があることとを含むことができる。
【００７２】
ＭＡＣ層に対して、ｎｇ−ｅＮＢは、予め設定された第２の決定戦略に基づき、前記ＵＥとの間のＭＡＣ層を再起動する必要があるか否かを決定することができ、
再起動する必要があると決定した場合、前記ＵＥとの間のＭＡＣ層を再構成し、
そうでない場合、前記ＵＥとの間のＭＡＣ層を再構成しない。
【００７３】
具体的には、予め設定された第１の決定戦略に基づき、前記ＵＥとの間のＭＡＣ層を再起動する必要があるか否かを決定することは、
前記新しい無線ベアラに必要なＭＡＣ層構成情報を取得することと、
前記新しい無線ベアラに必要なＭＡＣ層構成情報を古い無線ベアラに必要なＭＡＣ層構成情報と比較することと、
両方が一致する場合、前記ＵＥとの間のＭＡＣ層を再起動する必要がないことと、
そうでない場合、前記ＵＥとの間のＭＡＣ層を再起動する必要があることとを含むことができる。
【００７４】
Ｓ６０７において、ｎｇ−ｅＮＢは、前記ＵＥとの無線ベアラを再確立する。
【００７５】
具体的には、該ステップは具体的に、前記ＵＥとの新しいシグナリング無線ベアラ（ＳＲＢ）とデータ無線ベアラ（ＤＲＢ）を構成することを含むことができる。ハンドオーバされた後のコアネットワークエレメントのタイプがハンドオーバされる前のコアネットワークエレメントのタイプと異なるため、基地局が前記ＵＥとのＰＤＣＰ層を再構成する必要があり、具体的にはＳＲＢとＤＲＢを配置し、詳しくは、新しいＰＤＣＰバージョン（ＰＤＣＰ  ｖｅｒｓｉｏｎ）、セキュリティキー（ｓｅｃｕｒｉｔｙ  ｋｅｙ）などを構成することを含むことができることは理解可能である。
【００７６】
上記プロセスにより分かるように、無線ベアラ以外、ｎｇ−ｅＮＢはＵＥとの間、ＲＬＣ層とＭＡＣ層は需要に応じて再確立又は再起動されてもよいが、物理層を再確立する必要がないため、コアネットワークをハンドオーバする時のハンドオーバ性能がさらに最適化される。
【００７７】
実施例５
前述した実施例と同じ発明構想に基づき、図７を参照すると、本発明の実施例によって提供される、ＬＴＥコアネットワークと５Ｇコアネットワークへのアクセスをサポートできる基地局７０を示し、該基地局７０は第１の解放部７０１、受信部７０２、第１の確立部７０３および第１の構成部７０４を備え、
ここで、前記基地局がハンドオーバをトリガしない場合、
前記第１の解放部７０１は、ソースコアネットワークエレメントとの間のユーザ装置（ＵＥ）に対する第１のコンテキスト及び第１の接続構成を解放するように構成され、
前記受信部７０２は、ターゲットのコアネットワークエレメントによって送信されたハンドオーバ命令を受信するように構成され、
前記第１の確立部７０３は、前記受信部７０２がターゲットのコアネットワークエレメントによって送信されたハンドオーバ命令を受信した後、前記ターゲットのコアネットワークエレメントとの間の前記ＵＥに対する第２のコンテキスト及び第２の接続を確立するように構成され、
前記第１の構成部７０４は、前記ＵＥとの新しい無線ベアラを構成するように構成される。
【００７８】
上記技術案では、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続である。
【００７９】
ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続である。
【００８０】
上記技術案において、前記第１の構成部７０４は具体的に、
前記ＵＥとの新しいシグナリング無線ベアラ（ＳＲＢ）とデータ無線ベアラ（ＤＲＢ）を構成するように構成される。
【００８１】
上記技術案において、前記第１の構成部７０４は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成される。
【００８２】
上記技術案において、前記第１の構成部７０４はさらに、
予め設定された第１の決定戦略に基づき、前記ＵＥとの無線リンク制御（ＲＬＣ）層を再確立する必要があるか否かを決定し、
再確立する必要があると決定した場合、前記ＵＥとの間のＲＬＣ層を再構成し、
そうでない場合、前記ＵＥとの間のＲＬＣ層を再構成しないように構成される。
【００８３】
上記技術案において、前記第１の構成部７０４は具体的に、
前記新しい無線ベアラに必要なＲＬＣ層構成情報を取得し、
前記新しい無線ベアラに必要なＲＬＣ層構成情報を古い無線ベアラに必要なＲＬＣ層構成情報と比較するように構成され、
両方が一致する場合、前記ＵＥとの間のＲＬＣ層を再確立する必要がなく、
そうでない場合、前記ＵＥとの間のＲＬＣ層を再確立する必要がある。
【００８４】
上記技術案において、前記第１の構成部７０４はさらに、
予め設定された第２の決定戦略に基づき、前記ＵＥとの間のＭＡＣ層を再起動する必要があるか否かを決定し、
再起動する必要があると決定した場合、前記ＵＥとの間のＭＡＣ層を再構成し、
そうでない場合、前記ＵＥとの間のＭＡＣ層を再構成しないように構成される。
【００８５】
上記技術案において、前記第１の構成部７０４は具体的に、
前記新しい無線ベアラに必要なＭＡＣ層構成情報を取得し、
前記新しい無線ベアラに必要なＭＡＣ層構成情報を古い無線ベアラに必要なＭＡＣ層構成情報と比較するように構成され、
両方が一致する場合、前記ＵＥとの間のＭＡＣ層を再起動する必要がなく、
そうでない場合、前記ＵＥとの間のＭＡＣ層を再起動する必要がある。
【００８６】
本実施例では、「部分」は、部分的な回路、部分的なプロセッサ、部分的なプログラム又はソフトウェアなどであってもよく、もちろん、ユニットであってもよく、さらにモジュールであってもよいし、非モジュール的であってもよいことを理解されたい。
【００８７】
また、本実施例における各構成部は１つの処理ユニットに統合されてもよく、個々のユニットは独立して物理的に存在してもよく、２つ又は２つ以上のユニットは１つのユニットに統合されてもよい。上記の統合されたユニットはハードウェアの形態で実現されてもよいし、ソフトウェア機能モジュールの形態で実現されてもよい。
【００８８】
前記統合されたユニットは、ソフトウェア機能モジュールの形態で実現され、独立した製品として販売又は使用されない場合、１つのコンピュータ読み取り可能記憶媒体に記憶されてもよく、このような理解に基づき、本実施例の技術的解決策は本質的に又は先行技術に寄与する部分又は該技術的解決策の全て又は一部がソフトウェア製品の形で実現されてもよく、該コンピュータソフトウェア製品がコンピュータ装置（パーソナルコンピュータ、サーバ、又はネットワークデバイス等であってもよい）又はプロセッサ（ｐｒｏｃｅｓｓｏｒ）に本実施例に記載の方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００８９】
したがって、本実施例はコンピュータ記憶媒体を提供し、該コンピュータ記憶媒体がハンドオーバのプログラムを記憶し、前記ハンドオーバプログラムが少なくとも１つのプロセッサによって実行される時に、上記の実施例１に記載の方法のステップを実現する。
【００９０】
上記基地局７０及びコンピュータ記憶媒体に基づき、図８を参照すれば、本発明によって提供される基地局７０の具体的なハードウェア構造を示し、該基地局７０は、第１のネットワークインタフェース８０１、第１のメモリ８０２および第１のプロセッサ８０３を備えることができ、各コンポーネントがバスシステム８０４を介して結合される。バスシステム８０４はこれらのコンポーネント間の接続通信を実現するために用いられることを理解されたい。バスシステム８０４はデータバス以外、電源バス、制御バスとステータス信号バスを含む。しかしながら、説明を明確にするために、図８では様々なバスシステムをバスシステム８０４として表示する。ここで、第１のネットワークインタフェース８０１は、他の外部ネットワークエレメントとの情報送受信プロセスに、信号を送受信するように構成され、
第１のメモリ８０２は、第１のプロセッサ８０３で実行可能なコンピュータプログラムを記憶するように構成され、
第１のプロセッサ８０３は、前記コンピュータプログラムを実行する時に、ソースコアネットワークエレメントとの間のユーザ装置（ＵＥ）に対する第１のコンテキスト及び第１の接続構成を解放し、
ターゲットのコアネットワークエレメントによって送信されたハンドオーバ命令を受信した後、前記ターゲットのコアネットワークエレメントとの間の前記ＵＥに対する第２のコンテキスト及び第２の接続を確立し、
前記ＵＥとの新しい無線ベアラを構成するように構成される。
【００９１】
本発明の実施例における第１のメモリ８０２が揮発性メモリ又は不揮発性メモリであってもよく、又は揮発性メモリ及び不揮発性メモリの両方を含むことができることは理解可能である。ここで、不揮発性メモリは読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは、利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲＲＡＭ：Ｄｉｒｅｃｔ  Ｒａｍｂｕｓ  ＲＡＭ）である。本明細書に記載されるシステムと方法における第１のメモリ８０２はこれらといずれかの他の適切なタイプのメモリを含むことを図るがこれらに限定されない。
【００９２】
第１のプロセッサ８０３は信号処理機能を有する集積回路チップである可能性がある。実施プロセスでは、上記方法の各ステップは、第１のプロセッサ８０３内のハードウェアの集積論理回路又はソフトウェアの形の命令によって完了されてもよい。上記第１のプロセッサ８０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本発明の実施例と組み合わせて開示された方法のステップは、ハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体は第１のメモリ８０２に位置し、第１のプロセッサ８０３は第１のメモリ８０２における情報を読み取り、そのハードウェアと組み合わせて上記方法のステップを完了する。
【００９３】
理解できるものとして、本明細書に記載されるこれらの実施例は、ハードウェア、ソフトウェア、ファームウェア、ミドルウェア、マイクロコード又はそれらの組み合わせで実現されてもよい。ハードウェアで実現される場合、処理ユニットは、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、汎用プロセッサ、コントローラ、マイクロコントローラ、マイクロプロセッサ、本出願に記載される機能を実行するための他の電子ユニット又はその組み合わせで実現されてもよい。
【００９４】
ソフトウェアで実現される場合、本明細書で記載される機能を実行するためのモジュール（例えばプロセス、関数など）によって本明細書に記載される技術を実現することができる。ソフトウェアコードはメモリに記憶されてプロセッサによって実行されてもよい。メモリはプロセッサ内部又はプロセッサ外部で実現されてもよい。
【００９５】
具体的には、基地局７０における第１のプロセッサ８０３はさらに前記コンピュータプログラムを実行する時に、上記実施例１に記載される方法のステップを実行するように構成され、ここでは説明を省略する。
【００９６】
実施例６
前述した実施例と同じ発明構想に基づき、図９を参照すれば、本発明の実施例によって提供されるＵＥ９０の構成を示し、該ＵＥ９０が決定部９０１、送信部９０２および第２の構成部９０３を備え、ここで、
前記決定部９０１は、サポートされるサービスに基づき、コアネットワークエレメントをハンドオーバする必要があるか否かを決定するように構成され、
送信部９０２は、サポートされるサービスに基づき、コアネットワークエレメントをハンドオーバする必要があると前記決定部９０１によって決定された場合、非アクセス層（ＮＡＳ）を介してソースコアネットワークエレメントにハンドオーバ指示を送信するように構成され、
前記第２の構成部９０３は、現在のサービング基地局との新しい無線ベアラを構成するように構成される。
【００９７】
上記技術案において、前記第２の構成部９０３は具体的に、
前記現在のサービング基地局との間のＳＲＢとＤＲＢを再構成するように構成される。
【００９８】
上記技術案において、前記第２の構成部９０３は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成される。
【００９９】
上記技術案において、前記決定部９０１は具体的に、
サポートされるサービスに必要なコアネットワークタイプに基づき、前記必要なコアネットワークタイプが、接続されている現在のコアネットワークタイプと一致しない場合、コアネットワークエレメントをハンドオーバする必要があると決定し、
又は、取得された外部影響情報に基づき、コアネットワークエレメントのハンドオーバを行う必要があると決定するように構成される。
【０１００】
上記技術案において、前記ＵＥ９０は、現在のサービング基地局の第１の決定戦略に基づいて基地局との間のＲＬＣ層を再確立するように構成され、及び／又は、現在のサービング基地局の第２の決定戦略に基づいて基地局との間のＭＡＣ層を再確立するように構成される再確立部９０４をさらに備える。
【０１０１】
また、本実施例はコンピュータ記憶媒体を提供し、該コンピュータ記憶媒体がハンドオーバのプログラムを記憶し、前記ハンドオーバプログラムが少なくとも１つのプロセッサによって実行される時に上記実施例２に記載の方法のステップを実現する。コンピュータ記憶媒体の具体的な説明について、実施例５における説明を参照し、ここでは説明を省略する。
【０１０２】
上記ＵＥ９０及びコンピュータ記憶媒体に基づき、図１０を参照すれば、本発明の実施例によって提供されるＵＥ９０の具体的なハードウェア構造を示し、該ＵＥ９０は、第２のネットワークインタフェース１００１、第２のメモリ１００２および第２のプロセッサ１００３を備えることができ、各コンポーネントはバスシステム１００４を介して結合される。バスシステム１００４はこれらのコンポーネント間の接続通信を実現するために用いられることを理解されたい。バスシステム１００４はデータバス以外、電源バス、制御バスとステータス信号バスを含む。しかしながら、説明を明確にするために、図１０では様々なバスシステムをバスシステム１００４として表示する。
【０１０３】
ここで、前記第２のネットワークインタフェース１００１は、他の外部ネットワークエレメントとの情報送受信プロセスに、信号を送受信するように構成され、
第２のメモリ１００２は、第２のプロセッサ１００３で実行可能なコンピュータプログラムを記憶するように構成され、
第２のプロセッサ１００３は、前記コンピュータプログラムを実行する時に、以下のように実行するように構成される：
サポートされるサービスに基づき、コアネットワークエレメントをハンドオーバする必要があると決定した場合、非アクセス層（ＮＡＳ）を介してソースコアネットワークエレメントにハンドオーバ指示を送信し、
現在のサービング基地局との新しい無線ベアラを構成する。
【０１０４】
本実施例におけるＵＥ９０の具体的なハードウェア構造における構成部分は、実施例５における対応する部分と類似し、ここで説明を省略することは理解可能である。
【０１０５】
具体的には、ＵＥ９０における第２のプロセッサ１００３は、さらに前記コンピュータプログラムを実行する時に、前述した実施例２に記載の方法のステップを実行するように構成され、ここでは説明を省略する。
【０１０６】
実施例７
前述した実施例と同じ発明構想に基づき、図１１を参照すれば、本発明の実施例によって提供されるコアネットワーク側装置１１０を示し、該コアネットワーク側装置１１０は、第２の解放部１１０１と第２の確立部１１０２を備え、ここで、
前記第２の解放部１１０１は、ＵＥによって送信されたハンドオーバ指示を受信した後、又は設定された判定戦略に基づき、前記ＵＥのコアネットワークエレメントをハンドオーバする必要があると決定した後、前記ＵＥのサービング基地局との間の前記ＵＥに対する第１のコンテキスト及び第１の接続構成を解放するようにソースコアネットワークエレメントに指示するように構成され、
前記第２の確立部１１０２は、前記基地局にハンドオーバ命令を送信するようにターゲットのコアネットワークエレメントに指示した後、前記基地局との間の前記ＵＥに対する第２のコンテキスト及び第２の接続を確立するように構成される。
【０１０７】
上記技術案において、コアネットワーク側のエレメントは、ソースコアネットワークエレメントとターゲットのコアネットワークエレメントを備え、対応して、ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続である。
【０１０８】
上記技術案において、前記ハンドオーバ指示は前記ＵＥによって送信されたＮＡＳシグナリングに搬送されて、ソースコアネットワークエレメントがコアネットワークエレメントのタイプをハンドオーバする必要があることを指示する。
【０１０９】
上記技術案において、前記第２の解放部１１０１は具体的に、
負荷（ｌｏａｄ）状態又はユーザの契約情報又は設定されたトリガ理由に基づき、前記ＵＥ端末のコアネットワークエレメントをハンドオーバする必要があることをトリガするように構成される。
【０１１０】
また、本実施例はコンピュータ記憶媒体を提供し、該コンピュータ記憶媒体がハンドオーバのプログラムを記憶し、前記ハンドオーバプログラムが少なくとも１つのプロセッサによって実行される時に、上記実施例３に記載の方法のステップを実現する。コンピュータ記憶媒体の具体的な説明について、実施例５における説明を参照し、ここでは説明を省略する。
【０１１１】
上記コアネットワーク側装置１１０及びコンピュータ記憶媒体に基づき、図１２を参照すれば、本発明の実施例によるコアネットワーク側装置１１０の具体的なハードウェア構造を示し、該コアネットワーク側装置１１０は、第３のネットワークインタフェース１２０１、第３のメモリ１２０２および第３のプロセッサ１２０３を備えることができ、各コンポーネントがバスシステム１２０４を介して結合される。バスシステム１２０４はこれらのコンポーネント間の接続通信を実現するためにに用いられることを理解されたい。バスシステム１２０４はデータバス以外、電源バス、制御バスとステータス信号バスを含む。しかしながら、説明を明確にするために、図１２では様々なバスシステムをバスシステム１２０４として表示する。
【０１１２】
ここで、前記第３のネットワークインタフェース１２０１は、他の外部ネットワークエレメントとの情報送受信プロセスに、信号を送受信するように構成され、
第３のメモリ１２０２は、第３のプロセッサ１２０３で実行可能なコンピュータプログラムを記憶するように構成され、
第３のプロセッサ１２０３は、前記コンピュータプログラムを実行する時に、以下のように実行するように構成される：
ＵＥによって送信されたハンドオーバ指示を受信した後、又は設定された判定戦略に基づき、前記ＵＥのコアネットワークエレメントをハンドオーバする必要があると決定した後、ソースコアネットワークエレメントが前記ＵＥのサービング基地局との間の前記ＵＥに対する第１のコンテキスト及び第１の接続構成を解放し、
ターゲットのコアネットワークエレメントが前記基地局にハンドオーバ命令を送信した後、前記基地局との間の前記ＵＥに対する第２のコンテキスト及び第２の接続を確立する。
【０１１３】
本実施例におけるコアネットワーク側装置１１０の具体的なハードウェア構造における構成部分が実施例５における対応する部分と類似し、ここで説明を省略することは理解可能である。
【０１１４】
具体的には、コアネットワーク側装置１１０における第３のプロセッサ１２０３はさらに前記コンピュータプログラムを実行する時に、上記実施例３に記載の方法のステップを実行するように構成され、ここでは説明を省略する。
【０１１５】
当業者であれば、本発明の実施例は、方法、システム、又はコンピュータプログラム製品として提供されてもよいと理解すべきである。したがって、本発明はハードウェア実施例、ソフトウェア実施例、又はソフトウェアとハードウェアを組み合わせた実施例の形態を採用してもよい。また、本発明はコンピュータ使用可能プログラムコードを含む１つ又は複数のコンピュータ使用可能記憶媒体（磁気ディスクメモリと光メモリ等を含むがこれらに限らない）で実施されるコンピュータプログラム製品の形態を採用できる。
【０１１６】
本発明は本発明の実施例に係る方法、装置（システム）、及びコンピュータプログラム製品のフローチャート及び／又はブロック図を参照しながら説明する。コンピュータプログラムコマンドによってフローチャート及び／又はブロック図の各フロー及び／又はブロック、及びフローチャート及び／又はブロック図におけるフロー及び／又はブロックの組み合わせを実現できると理解すべきである。これらのコンピュータプログラムコマンドを汎用コンピュータ、専用コンピュータ、組み込みプロセッサ又はその他のプログラム可能データ処理装置のプロセッサに提供して１つの機械を生成することができ、それによってコンピュータ又はその他のプログラム可能データ処理装置のプロセッサで実行されるコマンドによりフローチャートにおける１つのフロー又は複数のフロー及び／又はブロック図における１つのブロック又は複数のブロックに指定された機能を実現するための装置を生成する。
【０１１７】
これらのコンピュータプログラムコマンドは、特定の方式で動作するようにコンピュータ又はその他のプログラム可能データ処理装置を案内することができるコンピュータ読み取り可能なメモリに記憶されて、該コンピュータ読み取り可能なメモリに記憶されたコマンドが、コマンド装置を含む製造品を生成し、該コマンド装置は、フローチャートにおける１つのフロー又は複数のフロー及び／又はブロック図における１つのブロック又は複数のブロックに指定された機能を実現することができる。
【０１１８】
これらのコンピュータプログラムコマンドは、コンピュータ又はその他のプログラム可能データ処理装置にロードされて、コンピュータ又はその他のプログラム可能装置で一連の動作ステップを実行してコンピュータで実現される処理を発生し、それによってコンピュータ又はその他のプログラム可能装置で実行されるコマンドはフローチャートにおける１つのフロー又は複数のフロー及び／又はブロック図における１つのブロック又は複数のブロックに指定された機能を実現するためのステップを提供することができる。
【０１１９】
上記は、本発明の好ましい実施例に過ぎず、本発明の保護範囲を限定するものではない。
【産業上の利用可能性】
【０１２０】
本発明の実施例では、基地局がＬＴＥコアネットワークと５Ｇコアネットワークにアクセスできるため、該基地局は、ＬＴＥコアネットワークＥＰＣとＮＲコアネットワーク５ＧＣへの端末の接続を同時にサポートすることができ、したがって、ハンドオーバする場合、基地局によってＵＥに提供されたサービングセルが変化しなく、これに基づき、基地局側はコアネットワークエレメントとの間の接続のみに対して解放及び再確立を行い、ＵＥとの物理層の無線リンクを切断及び再確立する必要がない。したがって、コアネットワークのみに対するハンドオーバが実現され、ハンドオーバ機能が最適化される。
【図１】
2021509548.tif 000003
【図２】
2021509548.tif 000004
【図３】
2021509548.tif 000005
【図４】
2021509548.tif 000006
【図５】
2021509548.tif 000007
【図６】
2021509548.tif 000008
【図７】
2021509548.tif 000009
【図８】
2021509548.tif 000010
【図９】
2021509548.tif 000011
【図１０】
2021509548.tif 000012
【図１１】
2021509548.tif 000013
【図１２】
2021509548.tif 000014
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ＬＴＥコアネットワーク及び５Ｇコアネットワークへのアクセスをサポートできる基地局により実行されるハンドオーバ方法であって、
前記基地局がハンドオーバをトリガしない場合、前記方法は、
ソースコアネットワークエレメントとの間のユーザ装置（ＵＥ）に対する第１のコンテキスト及び第１の接続構成を解放することと、
ターゲットのコアネットワークエレメントによって送信されたハンドオーバ命令を受信した後、前記ターゲットのコアネットワークエレメントとの間の前記ＵＥに対する第２のコンテキスト及び第２の接続を確立することと、
前記ＵＥとの新しい無線ベアラを構成することとを含む、前記ハンドオーバ方法。
【請求項２】
前記方法は、
予め設定された第１の決定戦略に基づき、前記ＵＥとの無線リンク制御（ＲＬＣ）層を再確立する必要があるか否かを決定することと、
再確立する必要があると決定した場合、前記ＵＥとの間のＲＬＣ層を再構成することと、
そうでない場合、前記ＵＥとの間のＲＬＣ層を再構成しないこととをさらに含むことを特徴とする
請求項１に記載のハンドオーバ方法。
【請求項３】
前記予め設定された第１の決定戦略に基づき、前記ＵＥとの間のＲＬＣ層を再確立する必要があるか否かを決定することは、
前記新しい無線ベアラに必要なＲＬＣ層構成情報を取得することと、
前記新しい無線ベアラに必要なＲＬＣ層構成情報を古い無線ベアラに必要なＲＬＣ層構成情報と比較することと、
両方が一致する場合、前記ＵＥとの間のＲＬＣ層を再確立する必要がないことと、
そうでない場合、前記ＵＥとの間のＲＬＣ層を再確立する必要があることとを含むことを特徴とする
請求項２に記載のハンドオーバ方法。
【請求項４】
前記方法は、予め設定された第２の決定戦略に基づき、前記ＵＥとの間のＭＡＣ層を再起動する必要があるか否かを決定することと、
再起動する必要があると決定した場合、前記ＵＥとの間のＭＡＣ層を再構成することと、
そうでない場合、前記ＵＥとの間のＭＡＣ層を再構成しないこととをさらに含むことを特徴とする
請求項１に記載のハンドオーバ方法。
【請求項５】
前記予め設定された第１の決定戦略に基づき、前記ＵＥとの間のＭＡＣ層を再起動する必要があるか否かを決定することは、
前記新しい無線ベアラに必要なＭＡＣ層構成情報を取得することと、
前記新しい無線ベアラに必要なＭＡＣ層構成情報を古い無線ベアラに必要なＭＡＣ層構成情報とを比較することと、
両方が一致する場合、前記ＵＥとの間のＭＡＣ層を再起動する必要がないことと、
そうでない場合、前記ＵＥとの間のＭＡＣ層を再起動する必要があることとを含むことを特徴とする
請求項３に記載のハンドオーバ方法。
【請求項６】
ユーザ装置（ＵＥ）側により実行されるハンドオーバ方法であって、
サポートされるサービスに基づき、コアネットワークエレメントをハンドオーバする必要があると決定した場合、非アクセス層（ＮＡＳ）を介してソースコアネットワークエレメントにハンドオーバ指示を送信することと、
現在のサービング基地局との新しい無線ベアラを構成することとを含む、前記ハンドオーバ方法。
【請求項７】
前記サポートされたサービスに基づき、コアネットワークエレメントをハンドオーバする必要があると決定することは、
サポートされたサービスに必要なコアネットワークのタイプに基づき、前記必要なコアネットワークのタイプが、接続されている現在のコアネットワークのタイプと一致しない場合、コアネットワークエレメントをハンドオーバする必要があると決定すること、又は
取得された外部影響情報に基づき、コアネットワークエレメントをハンドオーバする必要があると決定することを含むことを特徴とする
請求項６に記載のハンドオーバ方法。
【請求項８】
前記方法は、
現在のサービング基地局の第１の決定戦略に基づいて基地局との間のＲＬＣ層を再確立すること、及び／又は
現在のサービング基地局の第２の決定戦略に基づいて基地局との間のＭＡＣ層を再起動することをさらに含むことを特徴とする
請求項６に記載のハンドオーバ方法。
【請求項９】
ＬＴＥコアネットワークと５Ｇコアネットワークへのアクセスをサポートできる基地局であって、
第１の解放部、受信部、第１の確立部および第１の構成部を備え、
前記基地局がハンドオーバをトリガしない場合、
前記第１の解放部は、ソースコアネットワークエレメントとの間のユーザ装置（ＵＥ）に対する第１のコンテキスト及び第１の接続構成を解放するように構成され、
前記受信部は、ターゲットのコアネットワークエレメントによって送信されたハンドオーバ命令を受信するように構成され、
前記第１の確立部は、前記受信部がターゲットのコアネットワークエレメントによって送信されたハンドオーバ命令を受信した後、前記ターゲットのコアネットワークエレメントとの間の前記ＵＥに対する第２のコンテキスト及び第２の接続を確立するように構成され、
前記第１の構成部は、前記ＵＥとの新しい無線ベアラを構成するように構成される、前記基地局。
【請求項１０】
ソースコアネットワークエレメントがＥＰＣである場合、前記ターゲットのコアネットワークエレメントは５ＧＣであり、前記第１の接続構成は前記ＵＥに関連するＳ１インタフェースのコントロールプレーン及びユーザプレーンの構成であり、前記第２の接続は前記ＵＥに関連するＮ２インタフェースとＮ３インタフェースの接続であり、
ソースコアネットワークエレメントが５ＧＣである場合、前記ターゲットのコアネットワークエレメントはＥＰＣであり、前記第１の接続構成は前記ＵＥに関連するＮ２インタフェースとＮ３インタフェースの接続構成であり、前記第２の接続は前記ＵＥに関連するＳ１インタフェースのコントロールプレーン及びユーザプレーンの接続であることを特徴とする
請求項９に記載の基地局。
【請求項１１】
前記第１の構成部は具体的に、
前記ＵＥとの新しいシグナリング無線ベアラ（ＳＲＢ）とデータ無線ベアラ（ＤＲＢ）を構成するように構成されることを特徴とする
請求項９に記載の基地局。
【請求項１２】
前記第１の構成部は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成されることを特徴とする
請求項１１に記載の基地局。
【請求項１３】
ユーザ装置（ＵＥ）であって、
決定部、送信部および第２の構成部を備え、
前記決定部は、サポートされるサービスに基づき、コアネットワークエレメントをハンドオーバする必要があるか否かを決定するように構成され、
送信部は、サポートされるサービスに基づき、コアネットワークエレメントをハンドオーバする必要があると前記決定部によって決定された場合、非アクセス層（ＮＡＳ）を介してソースコアネットワークエレメントにハンドオーバ指示を送信するように構成され、
前記第２の構成部は、現在のサービング基地局との新しい無線ベアラを構成するように構成される、前記ユーザ装置。
【請求項１４】
前記第２の構成部は具体的に、
前記現在のサービング基地局との間のＳＲＢとＤＲＢを再構成するように構成されることを特徴とする
請求項１３に記載のユーザ装置。
【請求項１５】
前記第２の構成部は具体的に、
新しいＰＤＣＰバージョン（ＰＤＣＰ  ｖｅｒｓｉｏｎ）、セキュリティキー（ｓｅｃｕｒｉｔｙ  ｋｅｙ）を構成するように構成されることを特徴とする
請求項１４に記載のユーザ装置。
【国際調査報告】
2021509548.tif 000015
2021509548.tif 000016
2021509548.tif 000017
2021509548.tif 000018